(57)【特許請求の範囲】
【請求項１】
一対の側壁（１０、１０）の前縁に前壁（１２）を梯子状に連設し、両側壁（１０、１０）の後縁間に後壁（１３）を設け、各前壁（１２）、後壁（１３）及び一対の側壁（１０、１０）で囲まれた部分の底部を棚板（１６）で閉止し、各段の棚板（１６）上に商品を載せるようにした陳列棚において、前記各棚板（１６）を前壁（１２）の上縁に折下板（１５）を介して繋ぎ、各棚板（１６）の後縁に一対の挟持片（１７）を突設し、後壁（１３）に上向きに切り込んだ棚受板（１８）を形成し、挟持片（１７）を下方へ、棚受片（１８）を水平方向へそれぞれ折り曲げ、挟持片（１７）で棚受片（１８）を挟むと共に、挟持片（１７）及び棚受片（１８）の基端部にそれぞれ設けた切込（１９、２０）を互いに係合させ、棚受片（１８）で棚板（１６）を受け止めたことを特徴とする陳列具。
【発明の詳細な説明】
【０００１】
【発明の属する技術分野】
この発明は、上下に配された複数段の棚板上に商品を載置して陳列する厚紙製の陳列棚に関するものである。
【０００２】
【従来の技術】
この種の陳列棚として、図７に示すようなものが実登２５２１２５０号公報に記載されている。この陳列棚は、一対の側壁５０、５０の前縁に前壁５１を上下に２枚間隔をおいて連設し、両側壁５０、５０の後縁間に後壁５２を設け、前壁５１、後壁５２及び一対の側壁５０、５０で囲まれた部分の底部を棚板５３で閉止し、各段の棚板５３上に商品を載せるようにしたものであって、前記上段側の棚板５３は前壁５１の下縁に繋がり、この棚板５３の後縁から延出した背面片５４を下方へ折り曲げて後壁５２に形成した上向きの切込５５に差し込み、棚板５３の側縁から延出した側片５６を側壁５０の内面に沿わせたものである。
【０００３】
【発明が解決しようとする課題】
しかしながら、上記のような陳列棚では、素材シートの厚さのため、背面片５４が切込５５の根元まで入らず、棚板５３が浮き上がるという問題がある。
【０００４】
また、棚板５３の固定作業を下側から行わなければならないので、作業性が悪いという問題もある。
【０００５】
そこで、この発明は、棚板の浮き上がりがなく、組み立てが容易な陳列棚を提供することを課題とする。
【０００６】
【課題を解決するための手段】
上記課題を解決するため、この発明は、一対の側壁の前縁に前壁を梯子状に連設し、両側壁の後縁間に後壁を設け、各前壁、後壁及び一対の側壁で囲まれた部分の底部を棚板で閉止し、各段の棚板上に商品を載せるようにした陳列棚において、各棚板を前壁の上縁に折下板を介して繋ぎ、各棚板の後縁に一対の挟持片を突設し、後壁に各棚板に対応して上向きに切り込んだ棚受板を形成し、挟持片を下方へ、棚受片を水平方向へそれぞれ折り曲げ、挟持片で棚受片を挟むと共に、挟持片及び棚受片の基端部にそれぞれ設けた切込を互いに係合させ、棚受片で棚板を受け止めることとしたのである。
【０００７】
この陳列棚は、棚板の固定作業を上側から行うことができ、棚板は浮き上がることなく水平に維持される。
【０００８】
【発明の実施の形態】
以下、この発明の一実施形態を図１乃至図６に基づいて説明する。この陳列棚は厚紙シートから成り、、図１に示すように、本体１、パネル２及び仕切材３から構成される。
【０００９】
本体１のブランクでは、図２に示すように、一対の側壁１０、１０の対向縁に各３個の凸部１１が形成され、その先端同士が前壁１２で連結されている。両側壁１０、１０のうち、一方の側壁１０の開放側縁には後壁１３が、他方の側壁１０の開放側縁には継代片１４がそれぞれ連設され、各前壁１２の上縁には折下板１５を介して棚板１６が連設されている。
【００１０】
最下段のものを除く各棚板１６の先端縁には一対の挟持片１７が突設され、後壁１３には、上向きに切り込むことにより棚受片１８が形成されている。この棚受片１８の基端位置は、挟持片１７を備えた棚板１６が繋がる前壁１２の下部にほぼ一致している。挟持片１７及び棚受片１８の基端両側にはそれぞれ切込１９、２０が形成されている。
【００１１】
側壁１０、最下段の前壁１２及び後壁１３の下端縁には底片２１が連設されており、側壁１０の上端縁には重合片２２が連設されている。側壁１０の上端前角部及び重合片２２には紐孔２３が形成されている。
【００１２】
また、パネル２は、２枚の表示板２４、２４を連設し、各表示板２４の４隅に紐孔２５を穿設したものである。
【００１３】
また、仕切材３は、仕切板２６の下縁に貼着片２７を、両側縁に側当片２８をそれぞれ連設したものである。
【００１４】
このようなブランクを図１に示すような陳列棚に組み立てるには、本体１において、一対の側壁１０、１０、前壁１２及び後壁１３を角筒状に折り曲げ、継代片１４を後壁１３の外縁部に貼着し、４枚の底片２１を組み合わせて底壁２９を形成する。また、重合片２２を側壁１０の内面に貼着する。
【００１５】
そして、図５及び図６に示すように、折下板１５を下方へ折り曲げて前壁１２の内面に沿わせ、次いで棚板１６を水平方向へ折り曲げ、挟持片１７、１７で棚受片１８を挟むと共に、挟持片１７及び棚受片１８の基端部にそれぞれ設けた切込１９、２０を互いに係合させ、棚受片１８で棚板２０を受け止める。最下段の棚板１６は底壁２９に載せる。
【００１６】
また、仕切材３において、仕切板２６を貼着片２７に対し起立させ、側当片２８を仕切板２６に対し後方へ折り曲げ、貼着片２７を棚板１６に貼着し、側当片２８を側壁１０の内面に沿わせて仕切材３を本体１にセットする。
【００１７】
さらに、パネル２において、表示板２４、２４を折り重ねて貼り合わせ、本体１の紐孔２３及びパネル２の紐孔２５に紐３０を挿通する。
【００１８】
そして、この陳列棚を使用して商品を陳列する際には、紐３０により陳列棚を吊り下げ、棚板１６上に商品を載置する。
【００１９】
なお、パネル２は、宣伝用のデザインを施すものであり、不要であれば省略してもよい。また、仕切材３も不要であれば省略してもよい。
【００２０】
この陳列棚では、棚板１６が浮き上がることがなく、水平状態に保持されるので、棚板１６上に商品を並べやすい。
【００２１】
また、棚受片１８が挟持片１７、１７で挟まれているので、棚板１６が横方向に振れることがなく、底構造は強固なものとなる。
【００２２】
また、組み立てに際し、棚板１６の固定作業を上側から行うことができ、その固定状態を切込１９、２０の係合音で確認できるので、確実かつ容易に組み立てられる。
【００２３】
【発明の効果】
以上説明したように、この発明に係る陳列棚では、棚板の先端から突出する一対の挟持片間に後壁から切り起こした棚受片を挟み、これらを切込の係合によりロックし、棚受片で棚板を受け止めるようにしたので、棚板は浮き上がることなく安定して水平状態に保持される。
【００２４】
また、棚板の固定作業を上側から行うことができ、その固定状態を挟持片及び棚受片の切込の係合音で確認できるので、確実かつ容易に組み立てられる。
【図面の簡単な説明】
【図１】この発明に係る陳列棚の斜視図
【図２】同上の本体のブランクを示す図
【図３】同上のパネルのブランクを示す図
【図４】同上の仕切材のブランクを示す図
【図５】同上の組立過程を示す一部拡大斜視図
【図６】同上の棚板の裏側を示す一部拡大斜視図
【図７】従来の陳列棚の斜視図
【符号の説明】
１  本体
２  パネル
３  仕切材
１０  側壁
１２  前壁
１３  後壁
１５  折下板
１６  棚板
１７  挟持片
１８  棚受片
１９、２０  切込
【図１】
0004321904.tif 000002
【図２】
0004321904.tif 000003
【図３】
0004321904.tif 000004
【図４】
0004321904.tif 000005
【図５】
0004321904.tif 000006
【図６】
0004321904.tif 000007
【図７】
0004321904.tif 000008